(57)【要約】【課題】アイガードキャップによって光源から放射される光を遮断して該光源からの光が術者の目に直接入らないように術者の目を保護するとともに、該アイガードキャップによって遮断された光を有効利用して、光重合器の利用効率の向上を図る。【解決手段】光重合器１０のヘッド部１１内には光源１２を有し、該光源１２からの光を歯牙３０内に充填されたレジンに照射して該レジンを硬化する。２０はヘッド部１１に着脱自在に装着されるアイガードキャップで、その内壁面２０ａは光反射処理が施され、該内壁面２０ａで反射された光が同一光軸Ｐ−Ｐ上に収束するように開口しており、アイガードキャップ２０の内壁面２０ａで反射された光をも有効にレジンの硬化に使用することができる。【選択図】図１
2007330692.tif 000002
【特許請求の範囲】
【請求項１】
口腔内に挿入して歯牙修復用の光重合レジンを光照射して硬化する光重合器に用いるアイガードキャップであって、該アイガードキャップは、前記光重合器の光放射端に着脱自在に装着され、その内壁面は光反射処理が施され、該内壁面で反射された光が同一光軸上に収束するように開口していることを特徴とする光重合器用アイガードキャップ。
【請求項２】
口腔内に挿入して歯牙修復用の光重合レジンを光照射して硬化する光重合器に用いるアイガードキャップであって、該アイガードキャップは、前記光重合器の光放射端に着脱自在に装着されるアイガードキャップ本体と、該アイガードキャップ本体内に着脱自在に嵌装されるリフレクタとを有し、該リフレクタの内壁面に光反射処理が施されていることを特徴とする光重合器用アイガードキャップ。
【請求項３】
前記リフレクタは真鍮にて形成され、内壁面にクロムメッキ処理が施されていることを特徴とする請求項２に記載の光重合器用アイガードキャップ。
【請求項４】
前記リフレクタの内壁面で反射される光が同一光軸上に収束されることを特徴とする請求項２又は３のいずれかに記載の光重合器用アイガードキャップ。
【発明の詳細な説明】
【技術分野】
【０００１】
本発明は、光重合器用アイガードキャップ、より詳細には、歯科治療において、口腔内に挿入して、歯牙の修繕に用いた光重合レジンに光（例えば、４００〜５００ｎｍ、より具体的には、４７８ｎｍ）を照射して、該光重合レジンを硬化させるための光重合器の光放射部に着脱自在に装着して、光重合器から放射される光が術者の目に入らないようにするアイガードキャップに関し、特に、アイガードキャップの内壁面に光反射処理を施し、該内壁面によって反射された光をもレジンの光重合に利用可能とし、より効果的にレジンの接着、硬化を行えるようにした光重合器用アイガードキャップに関する。
【背景技術】
【０００２】
歯科治療においては、歯牙修復材として光重合レジンを用いるが、この光重合レジンは、例えば、歯牙の破損箇所へ充填した後、光を照射して接着，硬化させ、硬化後、切削，研磨等を行って、元の歯牙と一体化させて破損前の歯牙の審美性を持たせて修復するものである。
【０００３】
図３は、本発明が適用される一例としての光重合器１０と、該光重合器１０に適用される一例としてのアイガードキャップ２０の例を説明するための図で、図示例の場合、光重合器１０は、ヘッド部１１内に光源１２を有し、該光源１２からの光を歯牙に充填されたレジンに照射して該レジンを硬化するようになっている。アイガードキャップ２０は、光重合器１０の光放射端側に着脱自在に装着され、光源１２から放射される光が術者の目に直接入らないようにしている。
【発明の開示】
【発明が解決しようとする課題】
【０００４】
本発明は、上述のごときアイガードキャップを改良して、該アイガードキャップによって光源から放射される光を遮断して該光源からの光が術者の目に直接入らないようにして術者の目を保護するとともに、該アイガードキャップによって遮断された光を有効利用して、換言すれば、アイガードキャップによって遮断される光を該アイガードキャップの内壁面で反射して光重合に利用可能とし、光重合器の利用効率の向上を図ることを目的としてなされたものである。
【課題を解決するための手段】
【０００５】
請求項１の発明は、口腔内に挿入して歯牙修復用の光重合レジンを光照射して硬化する光重合器に用いるアイガードキャップであって、該アイガードキャップは、前記光重合器の光放射端に着脱自在に装着され、その内壁面は光反射処理が施され、該内壁面で反射された光が同一光軸上に収束するように開口していることを特徴としたものである。
【０００６】
請求項２の発明は、口腔内に挿入して歯牙修復用の光重合レジンを光照射して硬化する光重合器に用いるアイガードキャップであって、該アイガードキャップは、前記光重合器の光放射端に着脱自在に装着されるアイガードキャップ本体と、該アイガードキャップ本体内に着脱自在に嵌装されるリフレクタとを有し、該リフレクタの内壁面に光反射処理が施されていることを特徴としたものである。
【０００７】
請求項３の発明は、請求項２の発明において、前記リフレクタは真鍮にて形成され、内壁面にクロムメッキ処理が施されていることを特徴としたものである。
【０００８】
請求項４の発明は、請求項２又は３の発明において、前記リフレクタの内壁面で反射される光が同一光軸上に収束されることを特徴としたものである。
【発明の効果】
【０００９】
本発明によると、光重合器の光放射端部に着脱自在に装着され、使用時、光重合器の光源から放射される光が術者の目に直接入らないようにしているアイガードキャップにおいて、該アイガードキャップによって光源から放射される光を遮断して術者の目を保護するとともに、該アイガードキャップによって遮断された光を有効利用して、換言すれば、アイガードキャップによって遮断される光を該アイガードキャップの内壁面で反射してレジンの光重合に利用可能としたので、光重合器の光源からの光をより効果的に利用してレジンの接着、硬化をより効率よく行うことができる。
【発明を実施するための最良の形態】
【００１０】
図１は、本発明によるアイガードキャップを装着した光重合器の外観図（図１（Ａ））、及び、アイガードキャップを光重合器から取り外した時の状態を示す分解図（図１（Ｂ））で、図中、１０は光重合器、２０はアイガードキャップを示し、該アイガードキャップ２０は光重合器１０のヘッド部１１に着脱自在に装着されるようになっている。ヘッド部１１内には、図１（Ｂ）に示すように、例えば、ＬＥＤ光源１２を有し、該光源１２からの光を、周知のように、歯牙３０に充填された光重合レジン４０に照射して該光重合レジン４０を硬化する。
【００１１】
アイガードキャップ２０は、光源１２から放射される光が術者の目に入るのを防止するために設けられるものであり、そのため、従来のアイガードキャップは、単に、光源１２からの光を遮るものであればよく、アイガードキャップ２０の内壁面に当った光は、該アイガードキャップ２０の内面で吸収されたり、乱反射され、無駄に消費されていた。
【００１２】
本発明は、上述のように、従来無駄に消費されていた光をもレジンの硬化に有効に利用しようとするものであり、そのため、本発明においては、アイガードキャップ２０の内表面２０ａは光反射面に形成されており、該内表面で反射された光は、図１（Ａ）に２点鎖線にて示すように、同一の軸線Ｐ−Ｐ上に集光するように反射され、好ましくは、円筒形状に形成されたアイガードキャップ２０の中心軸Ｐ−Ｐ線上に集光され、光重合レジン４０の硬化に有効に利用される。
【００１３】
アイガードキャップ２０の材料として、一般に、シリコーン樹脂等が用いられるが、このシリコーン樹脂の表面を平滑面に仕上げるのは難しく、そのため、現状では、シリコーン樹脂等のゴム材以外の材料でアイガードキャップ２０を形成し、その内壁面を平滑面にする必要がある。
【００１４】
図２は、アイガードキャップ本体にシリコーン等の平面仕上が困難な材料を用いたアイガードキャップの実施例を説明するための図で、この実施例は、図２（Ａ）に分解して示すように、例えば、シリコーン樹脂等からなるアイガードキャップ本体２０1と、該アイガードキャップ本体２０1内に嵌装されるリフレクタ２０2とからなり、図２（Ｂ）に示すように、アイガードキャップ本体２０1内にリフレクタ２０2を嵌装してアイガードキャップ２０を構成する。リフレクタ２０2は、例えば、真鍮にて形成され、その内壁面（光反射面）２０ａにクロムメッキを施したものであり、このようにすると、アイガードキャップ本体２０1として、その材料をシリコーン樹脂を含むある任意所望の材料を使用することができ、しかも、リフレクタ２０2に成形が容易な真鍮を用いて、その内壁面（光反射面）２０ａをクロムメッキにて容易に光反射面に処理することができる。
【図面の簡単な説明】
【００１５】
【図１】本発明によるアイガードキャップを用いた光重合器の一実施例を説明するための要部構成図である。
【図２】本発明によるアイガードキャップを用いた光重合器の他の実施例を説明するための要部構成図である。
【図３】従来のアイガードキャップの例を説明するための図である。
【符号の説明】
【００１６】
１０…光重合器、１１…ヘッド部、１２…光源、２０…アイガードキャップ、２０ａ…内壁面（光反射面）、２０1…アイガードキャップ本体、２０2…リフレクタ、３０…歯牙、４０…光重合レジン。
【図１】
2007330692.tif 000003
【図２】
2007330692.tif 000004
【図３】
2007330692.tif 000005